(57)【特許請求の範囲】
【請求項１】
ベッドフレームに２本の回転軸を前後に所定間隔をおいて回転自在に支持し、前記２本の回転軸にそれぞれ脚部材を固着すると共に、両回転軸を同期かつ同量だけ互いに反対方向へ回転させるように該回転軸にそれぞれ上下反対方向に向けて突設したブラケット間を連結ロッドにて連結してなる連動機構を介装して前記脚部材が開閉作動するよう構成し、前記脚部材の先端部には接地足を設け、脚部材の開閉作動時にその先端部が当該接地足に沿って移動可能に構成し、前記接地足のベッド中央側端部と脚部材の中間部とを補助リンクにより連結したことを特徴とするベッドにおけるフレームの昇降機構。
【請求項２】
ベッドフレームを頭側フレームと中間フレームと脚側フレームとに三分割可能に構成し、前記中間フレームに２本の回転軸を支持したことを特徴とする請求項１に記載のベッドにおけるフレームの昇降機構。
【請求項３】
２本の回転軸は自動ロック機構を介してベッドフレームに適宜着脱可能に支持されたことを特徴とする請求項１又は２に記載のベッドにおけるフレームの昇降機構。
【発明の詳細な説明】
【０００１】
【発明の属する技術分野】
本発明は、ベッドにおけるフレームの昇降機構に関し、特に在宅用ベッドに好適なベッドにおけるフレームの昇降機構に関するものである。
【０００２】
【従来の技術】
患者等がベッドから立ち上がる際には、ベッドの高さは患者の足が床に着く程度に低い方が良く、介護者が介護する際には、ベッドの高さは介護者の負担を軽減するため高い方が良い。このように、状況に応じてベッドの高さを適宜調節可能に、この種のベッドにはフレームの昇降機構が設けられているのが一般的である。
【０００３】
ところで、前記ベッドフレームの昇降機構は、ベッドを設置する部屋（寝室）のスペースを有効に活用するため、ベッドフレームを鉛直方向に昇降させる機構であることが好ましい。また、在宅用ベッドにおいては、ベッドを和室に設置する場合も多々あり、畳を損傷しないような機構でなければならない。
【０００４】
さらに在宅用ベッドは、運搬等が容易であることから組立て式であることが望ましい。しかしながら、組立て式にすると組立ての手間がかかり、特にベッドフレームの昇降機構等の駆動部までも組立てなければならない場合はなおさらである。
【０００５】
【発明が解決しようとする課題】
本発明は上記問題点に鑑みなされたものであり、ベッドフレームを鉛直方向に昇降させて寝室のスペースを有効に活用できると共に畳等の寝室の床を損傷させる心配もなく、さらには組立て式の在宅用ベッドに採用して好適なベッドにおけるフレームの昇降機構を提供することを課題としている。
【０００６】
【課題を解決するための手段】
本発明は上記課題を解決するために、次のようにした。すなわち、本発明のベッドにおけるフレームの昇降機構は、ベッドフレームに２本の回転軸を前後に所定間隔をおいて回転自在に支持し、前記２本の回転軸にそれぞれ脚部材を固着すると共に、両回転軸を同期かつ同量だけ互いに反対方向へ回転させるように該回転軸にそれぞれ上下反対方向に向けて突設したブラケット間を連結ロッドにて連結してなる連動機構を介装して前記脚部材が開閉作動するよう構成し、前記脚部材の先端部には接地足を設け、脚部材の開閉作動時にその先端部が当該接地足に沿って移動可能に構成し、前記接地足のベッド中央側端部と脚部材の中間部とを補助リンクにより連結したことを特徴とする。
【０００７】
また、前記ベッドフレームを頭側フレームと中間フレームと脚側フレームとに三分割可能に構成し、前記中間フレームに２本の回転軸を支持したことを特徴とする。
【０００８】
さらに、前記２本の回転軸は自動ロック機構を介してベッドフレームに適宜着脱可能に支持されたことを特徴とする。
【０００９】
【作用】
２本の回転軸は、互いに反対方向に同角回転するよう連動機構により連動連結されており、したがって、この回転軸に固着された脚部材が共に同角度の開閉作動をし、この脚部材の開閉作動によってベッドフレームが昇降する。
【００１０】
脚部材の先端には床面上に設置される接地足が設けられており、この接地足のベッド中央側端部と脚部材の中間部とを補助リンクにより連結し、前記脚部材の開閉作動時に、脚部材の先端が接地足に沿って互いに同じ距離だけ移動する。よって、ベッドフレームが鉛直方向に昇降すると共に、脚部材の開閉作動によって畳等の床面を傷付けることもない。
【００１１】
また、ベッドフレームを頭側フレーム、中間フレーム、脚側フレームに三分割構成し、前記中間フレームに回転軸を設けたから、フレームの昇降機構を中間フレームに集約でき、ベッドの組立てが容易である。さらに、回転軸を中間フレームに着脱可能に構成し、その取り付け方も、回転軸を所定間隔に離間させて上方より中間フレームを載せるだけで装着できる自動ロック機構を構成したから、組立ても極めて容易であり、細かく分解して梱包もでき、組立て式の在宅用ベッドに好適である。
【００１２】
【実施例】
以下、本発明の一実施例を図面に基づいて説明する。図中の符号１は、本発明にかかるベッドにおけるフレームの昇降機構を具備したベッドを示す。このベッド１は、フレーム２の上部に、例えば図に示すように上側背部、下側背部、腰部、膝部及び脚部に分割してなる床板３を装備し、図示しない背上げ機構及び膝上げ機構によって、背上げ、膝上げを適宜行うことができる構成となっている。また、フレーム２の頭側及び脚側の端部には、ヘッドボード４、フットボード５がそれぞれ取り付けられる。
【００１３】
前記フレーム２は、頭側フレーム２ａと中間フレーム２ｂと脚側フレーム２ｃとから構成されており、頭側フレーム２ａと中間フレーム２ｂとの間、及び中間フレーム２ｂと脚側フレーム２ｃとの間にそれぞれ設けられた連結固定手段６により、フレーム２を三分割可能に構成している。
【００１４】
前記連結固定手段６は、中間フレーム２ｂの端部に固着したブラケット７の上側に下向きの切欠き溝８を穿設し、頭側フレーム２ａ及び脚側フレーム２ｃの端部に固着したブラケット９に前記切欠き溝８に嵌入する軸１０を設け、前記切欠き溝８に軸１０を嵌入させると頭側フレーム２ａ及び脚側フレーム２ｃが自重により前記軸１０を軸として下方回動し、ブラケット７とブラケット９が当接することによって各フレーム２ａ，２ｂ，２ｃを水平状態に支持するようになっている。そして、ブラケット７側に、先端部が外側方へ突没可能で常時外方へばねにより付勢されたロックピン１１を設けると共に、ブラケット９側に、フレーム水平状態において前記ロックピン１１の先端部が係合する通孔１２を設けている。このような構成の連結固定手段６とすることにより、フレーム２を工具無しで簡単に組立てあるいは分解することができる。
【００１５】
前記中間フレーム２ｂには、ベッド短手方向を軸とする２本の回転軸１３，１４が前後に所定間隔をおいて回転自在に支持されており、この回転軸１３，１４に脚部材１５，１６を固着し、当該脚部材１５，１６が回転軸１３，１４を軸心として回動自在となっている。なお、前記回転軸１３，１４の中間フレーム２ｂへの取り付けは、前記中間フレーム２ｂの下部に前後に所定間隔をおいて支持ブラケット１７，１８を突説すると共に各ブラケット１７，１８に通孔１７ａ，１８ａを穿設し、一方、回転軸１３，１４の左右両端部には先端が外側方へ突没可能で常時外方へばねにより付勢されたロックピン１９，２０を設けた自動ロック機構Ｒを構成し、前記支持ブラケット１７，１８の間隔に離間させた回転軸１３，１４に上方から中間フレーム２ｂを載せるようにすると、ロックピン１９，２０が支持ブラケット１７，１８の通孔１７ａ，１８ａに自動的に係合して取り付けることができるようになっている。
【００１６】
２１は連動機構であり、前記２本の回転軸１３，１４にそれぞれ上下反対方向に向けてブラケット２２，２３を突設し、前記ブラケット２２，２３の先端部同士を連結ロッド２４により連結して、両回転軸１３，１４がそれぞれ反対方向に回転するように構成する一方、アクチュエータ等の伸縮駆動装置２５の両端部を回転軸１３，１４に突設されたブラケット２６，２７の先端部に軸支した構成となっている。すなわち、前記伸縮駆動装置２５を伸縮させることにより前記脚部材１５，１６が側面視ハ字状に同期して開閉作動するようになっている。
【００１７】
２８，２９は接地足であり、前記脚部材１５，１６の開閉作動に伴いその先端部に設けられたローラー３０，３１が当該接地足２８，２９に沿って移動可能に案内レールを形成している。そして、接地足２８，２９側と脚部材１５，１６の中間部とをそれぞれ補助リンク３２，３３により連結し、脚部材１５，１６が開閉作動することにより、ベッドフレーム２が鉛直方向に昇降作動するように構成している。なお、左右の接地足２８，２９は連結棒３４で繋がれており、所定間隔で平行に保持されている。
【００１８】
次に、上例の作用を説明する。伸縮駆動装置２５を伸長させると、脚部材１５，１６が回転軸１３，１４を軸として共に閉じる方向に回動する。このとき、回転軸１３，１４が、それぞれの回転軸１３，１４に突設されるブラケット２２，２３を連結ロッド２４により連結した構成の連動機構２１により連動連結されているので、両回転軸１３，１４が反対方向に同角回転し、脚部材１５，１６が同期して閉動することにより、フレーム２が上昇する。
【００１９】
前記脚部材１５，１６の閉動時には、接地足２８，２９のベッド中央側端部と脚部材１５，１６の中間部とを補助リンク３２，３３により連結しているから、脚部材１５，１６の先端が床面上に設置される接地足２８，２９に沿って互いに同じ距離だけ移動し、よってフレーム２が鉛直方向に上昇する。また、脚部材１５，１６の先端に設けられたローラー３０，３１が接地足２８，２９に形成された案内レール部を移動するように構成されているから、脚部材１５，１６の開閉作動によって畳等の床面を傷付けることもない。
【００２０】
フレーム２を下降させる場合には、伸縮駆動装置２５を短縮させれば、上記フレーム２を上昇させるときと全く逆の作用をし、フレーム２を鉛直方向に下降させることができる。
【００２１】
また、フレーム２を頭側フレーム２ａ、中間フレーム２ｂ、脚側フレーム２ｃに三分割構成し、前記中間フレーム２ｂに回転軸１３，１４を設けたから、フレームの昇降機構を中間フレーム２ｂに集約でき、ベッドの組立てが容易である。さらに、回転軸１３，１４を中間フレーム２ｂに着脱可能に構成し、その取り付け方も、回転軸１３，１４を所定間隔に離間させて上方より中間フレーム２ｂを載せるだけで装着できる自動ロック機構Ｒを構成したから、組立ても極めて容易であり、細かく分解して梱包もでき、組立て式の在宅用ベッドに好適である。
【００２２】
【発明の効果】
以上に説明したように、本発明によれば、２本の回転軸を所定間隔をおいてフレームに回転自在に支持させると共にこれら２本の回転軸がそれぞれ反対方向に回転するよう連動機構を介装して前記回転軸に設けられた脚部材が同期して開閉作動するよう構成し、また、前記脚部材の先端が移動できる接地足を設けると共に脚部材と接地足とを補助リンクで連結した構成としたから、脚部材を開閉作動させるとベッドフレームが鉛直方向に昇降すると共に、脚部材の先端が接地足内を移動するので畳等を傷付けることがない。さらに、フレームを三分割構成し、その中間フレームに２本の回転軸を支持する構成としたから、フレームから下側の構成物を簡単に組立てることができ、また梱包状態もコンパクトになり在宅用ベッドに適したものとなった。
【図面の簡単な説明】
【図１】本発明にかかるフレームの昇降機構を具備するベッドの簡略全体側面図
【図２】その要部簡略側面図
【図３】その平面図
【図４】フレームの上昇状態を示す側面図
【図５】フレームの連結固定手段を示す拡大平面図
【図６】その作用を説明する側面図
【図７】自動ロック機構を示す拡大断面図
【符号の説明】
１          ベッド
２          ベッドフレーム
２ａ        頭側フレーム
２ｂ        中間フレーム
２ｃ        脚側フレーム
１３，１４  回転軸
１５，１６  脚部材
２１        連動機構
２８，２９  接地足
３２，３３  補助リンク
Ｒ          自動ロック機構
【図１】
0003773149.tif 000002
【図２】
0003773149.tif 000003
【図３】
0003773149.tif 000004
【図４】
0003773149.tif 000005
【図５】
0003773149.tif 000006
【図６】
0003773149.tif 000007
【図７】
0003773149.tif 000008